(57)【要約】【課題】複雑でない機構を用いて、一つの駆動源で複数の可動部材を動作可能な役物装置を備えた遊技機を提供する。【解決手段】駆動力を付与する駆動モータ３９と、第１回転軸５１を中心として、第１退避位置と第１回転位置との間で回転し、駆動力を受けて第１退避位置から第１回転位置へ回転する時に回転力を伝達する伝達部６１を有する従動部材３５と、伝達部６１から回転力を受ける伝達受け部９４を有し、回転力の方向と反対方向の力が自重で作用し、自重で作用する力よりも大きな回転力を受けると、第２回転軸７２を中心として、通常位置と突出位置との間で回転する可動部材３８と、第２回転軸７２を取付固定するための軸受部と、従動部材３５を回転可能に配置する従動部材受け部７８とが形成されており、第１回転軸５１を中心として、第２退避位置と第２回転位置との間で回転することができるように構成されたベース部材３６とを備えた。【選択図】図６
2014217596.tif 000002
【特許請求の範囲】
【請求項１】
遊技を行う遊技領域に役物装置が設けられた遊技機であって、
所定の駆動力を付与する駆動手段と、
第１回転軸を中心として、第１退避位置と、前記第１退避位置から所定量回転した第１回転位置との間で回転することができ、前記駆動手段から付与された駆動力を受けて前記第１退避位置から前記第１回転位置へ回転する時に所定の大きさの回転力を伝達するための伝達部を有する従動部材と、
前記伝達部から前記回転力を受けるための伝達受け部を有し、前記回転力の方向と反対方向の力が自重によって作用するように構成されており、前記自重によって作用する力の大きさよりも大きな回転力を受けると、第２回転軸を中心として、通常位置と、前記通常位置から所定量回転した突出位置との間で回転する可動部材と、
前記第２回転軸を取付固定するための軸受部と、前記従動部材を前記第１退避位置と前記回転位置との間で回転可能に配置する従動部材受け部とが形成されており、前記第１回転軸を中心として、第２退避位置と、前記第２退避位置から所定量回転した第２回転位置との間で回転することができるように構成されたベース部材と、を備え、
前記駆動手段が前記駆動力を付与すると、
前記ベース部材は、前記従動部材を前記第１退避位置に位置させた状態を維持しつつ前記ベース部材を前記第２退避位置から前記第２回転位置まで回転し、
前記従動部材は、前記ベース部材が前記第２退避位置から第２回転位置まで回転する時は、前記第１退避位置に位置し、前記ベース部材が前記第２回転位置に位置すると、前記第１退避位置から前記第１回転位置まで回転すると共に、前記可動部材を前記通常位置から前記突出位置まで回転させるように構成した、ことを特徴とする遊技機。
【請求項２】
従動部材が第１回転位置から第１退避位置へ回転する方向に付勢するための付勢部材が前記従動部材及びベース部材の間に設けられている、請求項１記載の遊技機。
【請求項３】
ベース部材には、第１回転軸が挿通される第１挿通孔が貫通形成されており、
前記第１挿通孔には、従動部材と接する縁部に前記従動部材との摩擦抵抗を大きくするための摩擦部が形成されている、請求項１又は２記載の遊技機。
【請求項４】
可動部材は、第２回転軸が挿通する第２挿通孔を有しており、前記第２挿通孔は、前記可動部材の重心からずれた位置に設けられている、請求項１〜３のいずれかに記載の遊技機。
【発明の詳細な説明】
【技術分野】
【０００１】
本発明は、遊技を行う遊技領域に役物装置を備えた遊技機に関する。
【背景技術】
【０００２】
パチンコ機をはじめとする遊技機では、遊技の進行に応じて種々の演出が行われる。近年は、演出の内容も多様化する傾向にあり、遊技盤に形成されている遊技領域に大型のセンター役物を設けて、液晶表示装置等により構成される図柄表示装置に各種の図柄を表示させて種々の演出を行うものが多くなっている。また、遊技機で行われる演出の態様としては、センター役物とは別に演出用の役物装置を設けたものがある。この役物装置は、可動部材を有しており、遊技の進行に伴って可動部材を動作させることで遊技機の演出を行うことができるようにしている。
【０００３】
近年は、遊技機の演出の多様化に伴い、この役物装置における可動部材の数が増加する傾向にあり、またこれら可動部材の動作パターンも多様化する傾向にある。従来から知られている役物装置では、可動部材の数が増加する場合は各可動部材に駆動源を取り付けて駆動させていた。しかし、この場合は可動部材の増加に伴って駆動源の数も増加することになり、部品点数が増加したり、役物装置の構成が複雑化し、製造コストも高くなってしまうという問題があった。そのため、このような問題を解決すべく、特許文献１には、ベース部材、主リンク部材、従リンク部材及び終端リンク部材を連続する関節で連結し、遊技盤の盤面と平行な面内において回動するように構成し、一つの駆動源を用いて複数の可動部材を動作させるように構成した演出装置が開示されている。
【先行技術文献】
【特許文献】
【０００４】
【特許文献１】特開２００７−２５２７３４号公報
【発明の概要】
【発明が解決しようとする課題】
【０００５】
しかしながら、特許文献１に記載されている演出装置では、一つの駆動源を用いて複数の可動部材を動作させることはできるものの、複数の可動部材を動作させるために多数のリンク部材等を必要とするため、駆動源の数は減少させることはできても、他の部材の点数が増加するという問題があった。そのため、特許文献１に記載されている演出装置では、さらに構成が複雑化し、また製造コストの増加につながるという問題があった。遊技機の場合は、演出の態様によって異なる可動部材を動作させることが多い。そのため、演出装置の構成が複雑化すると、可動部材の動作機構に不具合が生じやすくなり、必要な時に必要な可動部材を動作させて演出を行うことができなくなるという問題があった。
【０００６】
本発明は、上記した問題点に鑑みてなされたものであり、複雑でない機構を用いて、一つの駆動源で複数の可動部材を動作させることができる役物装置を備えた遊技機を提供することを目的とする。
【課題を解決するための手段】
【０００７】
本発明は、
（１）遊技を行う遊技領域に役物装置が設けられた遊技機であって、所定の駆動力を付与する駆動手段と、第１回転軸を中心として、第１退避位置と、前記第１退避位置から所定量回転した第１回転位置との間で回転することができ、前記駆動手段から付与された駆動力を受けて前記第１退避位置から前記第１回転位置へ回転する時に所定の大きさの回転力を伝達するための伝達部を有する従動部材と、前記伝達部から前記回転力を受けるための伝達受け部を有し、前記回転力の方向と反対方向の力が自重によって作用するように構成されており、前記自重によって作用する力の大きさよりも大きな回転力を受けると、第２回転軸を中心として、通常位置と、前記通常位置から所定量回転した突出位置との間で回転する可動部材と、前記第２回転軸を取付固定するための軸受部と、前記従動部材を前記第１退避位置と前記回転位置との間で回転可能に配置する従動部材受け部とが形成されており、前記第１回転軸を中心として、第２退避位置と、前記第２退避位置から所定量回転した第２回転位置との間で回転することができるように構成されたベース部材と、を備え、前記駆動手段が前記駆動力を付与すると、前記ベース部材は、前記従動部材を前記第１退避位置に位置させた状態を維持しつつ前記ベース部材を前記第２退避位置から前記第２回転位置まで回転し、前記従動部材は、前記ベース部材が前記第２退避位置から第２回転位置まで回転する時は、前記第１退避位置に位置し、前記ベース部材が前記第２回転位置に位置すると、前記第１退避位置から前記第１回転位置まで回転すると共に、前記可動部材を前記通常位置から前記突出位置まで回転させるように構成した、ことを特徴とする遊技機、
（２）前記従動部材とベース部材との間には、従動部材が第１回転位置から第１退避位置へ回転する方向に付勢するための付勢部材が設けられている、上記（１）記載の遊技機、
（３）ベース部材には、第１回転軸が挿通される第１挿通孔が貫通形成されており、前記第１挿通孔には、従動部材と接する縁部に前記従動部材との摩擦抵抗を大きくするための摩擦部が形成されている、上記（１）又は（２）記載の遊技機、
（４）可動装飾体は、第２回転軸が挿通する第２挿通孔を有しており、前記第２挿通孔は、前記可動部材の重心からずれた位置に設けられている、上記（１）から（３）のいずれかに記載の遊技機、
を要旨とする。
【発明の効果】
【０００８】
本発明によれば、構成を簡略化して少ない部品点数で役物装置を構成し、かつこの簡略化した構成で、従動部材、ベース部材及び可動装飾体を一つの駆動手段により動作させることができる。したがって、部品点数の減少に伴う製造コストを大幅に低減することが可能になるとともに、従動部材、ベース部材及び可動装飾体も必要な時に確実に動作させることも可能になる。
【図面の簡単な説明】
【０００９】
【図１】本発明の実施の形態に係る遊技機の正面図である。
【図２】遊技機を構成する遊技盤の正面図である。
【図３】役物装置の斜視図である。
【図４】前カバー部材を外した状態の役物装置の斜視図である。
【図５】役物装置の後面側からの斜視図である。
【図６】役物装置の分解斜視図である。
【図７】役物装置の分解斜視図である。
【図８】従動部材とベース部材を表した斜視図である。
【図９】役物装置の作用効果を説明するための説明図である。
【図１０】役物装置の作用効果を説明するための説明図である。
【図１１】図１０に示した状態の役物装置を遊技盤全体で見た時の状態を説明するための説明図である。
【図１２】役物装置の作用効果を説明するための説明図である。
【図１３】図１２に示した状態の役物装置を遊技盤全体で見た時の状態を説明するための説明図である。
【発明を実施するための形態】
【００１０】
本発明に係る遊技機の実施の形態について、図面を用いて具体的に説明する。なお、本明細書では、本発明に係る遊技機の例としてパチンコ遊技機を用いて説明するが、本発明はパチンコ遊技機以外の遊技機にも適用することが可能である。また、本明細書においては、パチンコ遊技機（以下、単に「遊技機」と言う。）及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１１】
［遊技機１の外観構成］
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて形成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
遊技機１は、遊技盤１１に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。また、遊技機１の上部には、音声を出力するためのスピーカ１０が設けられている。
【００１３】
遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物１２の装飾枠１３を取り付けるための開口部１４が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。
【００１４】
遊技領域１６には、装飾枠１３を取り付けるための開口部１４が該遊技領域１６の略中央部に開口形成されている。また、遊技領域１６には普通入賞装置１７、始動入賞装置１８、大入賞装置１９等の各種入賞装置が設けられている。また、遊技領域１６には、多数の誘導釘２０が打たれている。遊技領域１６を流下する遊技球は、誘導釘２０に当たって流下方向を変化させながら、遊技領域１６の上部から下部に向かって流下する。遊技領域１６を流下する遊技球の一部は、各種入賞装置に設けられている各種入賞口（図示せず）に入賞する。また、遊技領域１６を流下する遊技球のうち、各種入賞口に入賞しなかった遊技球は、遊技領域１６の最下部に設けられたアウト口２１に流入する。
【００１５】
普通入賞装置１７は、遊技領域１６に複数個（本実施の形態では３個）設けられている。これら普通入賞装置１７は、普通入賞口（図示せず）を有しており、遊技球が普通入賞口に入賞すると、所定数（例えば１０個）の賞球を払い出すように構成されている。
【００１６】
始動入賞装置１８は、装飾枠１３の下方に配置されている。始動入賞装置１８は、始動入賞口（図示せず）を有しており、遊技球が始動入賞口に入賞すると遊技者不利な通常遊技状態から遊技者に有利な大当り遊技状態で遊技を行うか否かを抽選するための大当り抽選を行うように構成されている。
【００１７】
大入賞装置１９は、始動入賞装置１８の下方に配置された第１大入賞装置２２と、装飾枠１３の下方であって、遊技領域１６の左右方向中央よりも右方に配置された第２大入賞装置２３とを備えている。これら第１大入賞装置２２及び第２大入賞装置２３は、大入賞口（図示せず）を備えている。第１大入賞装置２２及び第２大入賞装置２３は、通常遊技状態では遊技球が入賞することはなく、大当り抽選に当選して、遊技状態が通常遊技状態から大当り遊技状態へ移行した時に遊技球が入賞できるように構成されている。これら第１大入賞装置２２及び第２大入賞装置２３は、大当り遊技状態では、所定個数（例えば１０個）の遊技球が入賞するか、又は所定時間（例えば３０秒）が経過するまでの間、遊技球が入賞するように構成されている。遊技機１は、大入賞口に遊技球が入賞すると、入賞した遊技球の数に対応した数の賞球を遊技者に払い出す。なお、本実施の形態では、大入賞装置１９を複数個有する遊技機１を用いて説明したが、大入賞装置１９の数はこれに限定されるものではない。
【００１８】
センター役物１２は、装飾枠１３を備えている。装飾枠１３は、各種の装飾が施されている枠状の部材であり、遊技盤１１の開口部１４に対して、遊技盤１１の前側から挿入して取付固定されている。図示しない裏ユニットには、図柄表示手段として機能する液晶表示装置及び役物装置３１が取付固定されている。液晶表示装置は、遊技流に所定の図柄等を変動表示又は停止表示するというように、遊技の状態や遊技の進行に応じて種々の演出表示を行うためのものである。この液晶表示装置で表示される図柄等としては、例えば、数字等から構成される種々の図柄やアニメーション等、各種画像等が挙げられるが、これに限定されるものではない。遊技盤１１は、該遊技盤１１に形成された開口部１４が裏ユニットに取付固定された液晶表示装置の表示画面と同じ位置に位置するように裏ユニットに取付固定されており、液晶表示装置で表示される図柄等は、遊技盤１１に形成されている開口部１４を介して遊技者が視認することができるように構成されている。なお、本実施の形態では、図柄表示手段の例として液晶表示装置を用いて説明したが、上記した演出表示を行うことができるものであれば、液晶表示装置以外のものを任意に選択して用いてもよい。なお、図１及び図２においては、説明の便宜上、液晶表示装置の記載を省略している。
【００１９】
役物装置３１は、裏ユニットにおいて、液晶表示装置の右上側に位置するように配置されている。また、役物装置３１は、液晶表示装置の前方に設けられている。この役物装置３１は、裏ユニットに遊技盤１１を取付固定した場合には、遊技領域１６内に位置するように配置されている。また、役物装置３１は、遊技盤１１が取付固定された装飾枠１３の内部に位置するように配置されており、遊技盤１１が裏ユニットに取付固定された場合には、該装飾枠１３の内部であって、かつ該装飾枠１３の右側に位置するように配置される。なお、本実施の形態では、演出用役物が液晶表示装置の右側に配置された例を用いて説明するが、演出用役物を設置する位置はこれに限定されるものではない。例えば、液晶表示装置の左側、上側、又は下側に配置してもよいし、これら以外の場所に配置してもよい。
【００２０】
［役物装置３１の構成］
役物装置の構成を図３〜図８に基づいて説明する。役物装置３１は、前カバー部材３２とケース本体３３とを備えており、これらケース本体３３及び前カバー部材３２の内部には収容空間３４が形成されている。この収容空間３４内には、従動部材３５及びベース部材３６が収容されている。また、前カバー部材３２の前側には、装飾体３７及び可動部材３８が配置され、駆動手段としての駆動モータ３９が取付固定されている。
【００２１】
この役物装置３１は、駆動モータ３９が回転して駆動力を付与すると、従動部材３５を第１退避位置に位置させながらベース部材３６が第２退避位置から第２退避位置まで回転し、ベース部材３６が第２退避位置まで回転すると、従動部材３５が第１退避位置から第１回転位置まで回転し、それと共に、可動部材３８を通常位置から突出位置まで回転させるように構成されている。また、役物装置３１は、その後に駆動モータ３９が先に説明したのと反対方向の駆動力を付与すると、可動部材３８を突出位置に位置させ、従動部材３５を第１回転位置に位置させながらベース部材３６が第２回転位置から第２退避位置まで回転し、ベース部材３６が第２退避位置まで回転すると、従動部材３５が第１回転位置から第１退避位置まで回転し、それと共に、可動部材３８を突出位置から通常位置まで回転させるようにも構成されている。
【００２２】
（前カバー部材３２の構成）
前カバー部材３２は、ケース本体３３の前側に位置するように、該ケース本体３３にネジ止め等の方法によって取付固定されている。この前カバー部材３２には、駆動モータ３９がネジ止め等の各種方法によって取付固定されるように構成されており、駆動モータ３９をネジ止め固定するためのモータ取付孔４０と、駆動モータ３９をネジ止め固定する際にこの駆動モータ３９を位置決めするための位置決め用ピン４１と、前カバー部材３２の表面と裏面との間を連通するように開口形成されており、前カバー部材３２の表面に取付固定された駆動モータ３９の駆動軸３９ａを表面から裏面に向けて挿通させることができるように形成された駆動軸挿通孔４２とが形成されている。なお、駆動モータ３９における駆動軸３９ａの先端には第１駆動ギヤ４３が圧入等の方法によって取り付けられている。また、前カバー部材３２には、第２駆動ギヤ４４が回転する際の回転軸となる第２駆動ギヤ回転軸４５を取り付けるための回転軸用孔４６が開口形成されている。本実施の形態では、回転軸用孔４６の孔径は第２駆動ギヤ回転軸４５の軸径よりも若干大径となるように形成されており、第２駆動ギヤ回転軸４５が回転軸用孔４６を挿通して表面側の先端部を前カバー部材３２の表面から前側に突出させ、この突出させた部分にスナップリングを設けて、第２駆動ギヤ回転軸４５が回転軸用孔４６に回転可能に取り付けられている。なお、この第２駆動ギヤ回転軸４５の取付方法は、上記した以外の方法であってもよい。
【００２３】
第２駆動ギヤ４４は、第１駆動ギヤ４３と噛み合うギヤ本体４７と、このギヤ本体４７の中央に形成されている取付孔４８と、ギヤ本体４７から半径方向外側に向けて突出形成された駆動力伝達部４９とを備えている。第２駆動ギヤ４４は、取付孔４８に第２駆動ギヤ回転軸４５を圧入することで前カバー部材３２に対して第２駆動ギヤ回転軸４５を軸として回転可能に取り付けられている。また、この第２駆動ギヤ４４は、前カバー部材３２に取り付けられた時に、ギヤ本体４７が第１駆動ギヤ４３と噛み合うように配置され、第１駆動ギヤ４３から伝達される駆動力が加わると、第２駆動ギヤ回転軸４５を中心にして回転するように構成されている。駆動力伝達部４９は、奥側に向けて突出する突出伝達部５０を備えている。この突出伝達部５０は、駆動力伝達部４９と一体的に成形してもよいし、駆動力伝達部４９とは別体のピンを圧入等の方法で設けてもよい。また、これら以外の方法で形成してもよい。突出伝達部５０は、後述する従動部材３５に形成された従動伝達孔６５内に配置されるように形成されており、第２駆動ギヤ４４が回転駆動した時に、従動部材３５に回転力を伝達することができるように形成されている。
【００２４】
（ケース本体３３の構成）
ケース本体３３は、役物装置３１を裏ユニットに取付固定するとともに、内部に形成された収容空間３４内に従動部材３５及びベース部材３６を第１回転軸５１を中心として回転可能に配置するためのものである。ケース本体３３は、略四角形状に形成された部材であり前側が開口するように形成されている。また、ケース本体３３には、底部３３ａと、左側壁部３３ｂ、右側壁部３３ｃ、下側壁部３３ｄ及び上側壁部３３ｅとが形成されている。図４に示すように、下側壁部３３ｄは、ケース本体３３の外側と通じる開口部３３ｆが形成されている。この開口部３３ｆは、従動部材３５及びベース部材３６が回転した時に、これら従動部材３５及びベース部材３６が下側壁部３３ｄと当たって、該従動部材３５及びベース部材３６の回転動作を干渉しないようにするためのものである。また、上側壁部３３ｅには、該上側壁部３３ｅの内側から左側に向けて突出する突出リブ５２が形成されている。この突出リブ５２は、ケース本体３３内において第１回転軸５１を中心に回転するベース部材３６のストッパとして形成されているものである。この突出リブ５２の先端がベース部材３６の上縁部３６ａと当接することにより、ベース部材３６の回転運動が停止する。なお、この突出リブ５２と当接することによってベース部材３６の回転運動が停止した位置は、ベース部材３６の第２退避位置になる。即ち、この突出リブ５２は、ベース部材３６の第２退避位置を規定するものであるとも言える。
【００２５】
また、ケース本体３３には、収容空間３４内の下側壁部３３ｄの近傍にストッパ部５３が形成されている。このストッパ部５３は、突起部５４を有しており、この突起部５４の先端がベース部材３６の下縁部３６ｂに当接することで、ベース部材３６の回転運動を止めることができるように形成されている。この突起部５４の先端がベース部材３６の下縁部３６ｂに当接することによってベース部材３６の回転運動が停止する位置は、ベース部材３６の第２回転位置になる。即ち、このストッパ部５３は、ベース部材３６の第２回転位置を規定するものであるとも言える。
【００２６】
また、ケース本体３３には、第１軸受部５５が形成されている。第１軸受部５５は、第１回転軸５１を取付固定するためのもので、第１回転軸５１が挿通可能な大きさに開口形成された穴として形成されている。この第１軸受部５５の穴径は、第１回転軸５１の外径と略同じか、又は第１回転軸５１の外径よりも若干小径となるように形成されており、第１軸受部５５内に入れられた第１回転軸５１が回転しないように取り付けられ、第１回転軸５１の位置決めを確実に行うことができるように構成されている。
【００２７】
また、ケース本体３３には、センサ部材５６と取付固定するためのセンサ取付部５７が形成されている。センサ取付部５７に取付固定されたセンサ部材５６は、ベース部材３６の位置を検出するためのものである。このセンサ部材５６としては、例えば発光部と受光部とを有する光学式のものを用いることができるが、ベース部材３６の位置を検出することができれば、光学式以外のものを用いてもよい。
【００２８】
（従動部材３５の構成）
従動部材３５は、第１回転軸５１を中心として、第１退避位置と、第１退避位置から所定量回転した第１回転位置との間で回転することができ、駆動モータ３９から付与された駆動力を受けて第１退避位置から第１回転位置へ回転する時に所定の大きさの回転力を伝達するための伝達部６１を有するように構成されている。図４及び図９に示すように、従動部材３５は、略扇形状を有するように形成されると共に伝達部６１が形成されている。また、従動部材３５には、可動部材３８が後述する通常位置にある時に、該可動部材３８と干渉するのを防止するための逃げ部６２が形成されている。この従動部材３５は、収容空間３４内に配置されており、左端部に形成された第１回転軸挿通孔６３に第１回転軸５１を挿通し、この第１回転軸５１を中心として回転することができるように構成されている。
【００２９】
この従動部材３５は、第１回転軸５１を中心として、第１退避位置と、第１退避位置から所定量だけ回転した第１回転位置との間で回転することができるように構成されている。従動部材３５における第１退避位置は、従動部材３５の上側縁がベース部材３６に形成されている後述するストッパ凸部７９に当接する位置であり、第１回転位置は、従動部材３５に形成されている突出片６４がベース部材３６に形成されている後述する突き当て部８６に当接する位置である。このように、従動部材３５の第１退避位置及び第１回転位置は、従動部材３５とベース部材３６との位置関係によって定まり、ベース部材３６に形成された後述する従動部材受け部７８内において、ベース部材３６内において相対的に定められる位置を意味するものである。
【００３０】
また、従動部材３５には、従動伝達孔６５が開口形成されている。従動伝達孔６５は、左右方向に開口形成する長孔状に形成された孔である。図４に示すように、この従動伝達孔６５は、第１回転軸挿通孔６３の左側に左端部が形成され、右側に右端部が形成されている。また、この従動伝達孔６５は、左端部から右端部に至るまでの間に、上下方向に若干屈曲するように形成されている。従動伝達孔６５がこのような形状に形成されているのは、第２駆動ギヤ４４が第１駆動ギヤ４３から伝達された駆動力を受けて回転する際、この従動伝達孔６５内に配置される突出伝達部５０が弧を描いて回転するので、突出伝達部５０が従動伝達孔６５内においてスムーズに回転するようにするためである。
【００３１】
伝達部６１は、従動部材３５に伝達された駆動力を可動部材３８に伝達するためのものである。本実施の形態では、伝達部６１は、従動部材３５の右下部において下方向に延出し、左側に歯型を形成したラック部６６として形成されている。このように、伝達部６１をラック部６６として形成することにより、従動部材３５が第１退避位置と第１回転位置との間で回転した時に、このラック部６６と噛み合うように配置されている可動部材３８の第３ギヤ部材９５に駆動力を伝達して、この第３ギヤ部材９５を回転運動させることが可能になる。なお、本実施の形態では、伝達部６１をラック部６６として形成した例を用いて説明したが、この伝達部６１は、可動部材３８に駆動力を伝達することができれば、他の構成であってもよい。
【００３２】
（ベース部材３６の構成）
ベース部材３６は、第１回転軸５１を中心として、第２退避位置と、第２退避位置から所定量回転した第２回転位置との間で回転することができるように構成されている。ベース部材３６は、左側から右側にかけて上下方向の幅が広がる扇形状となるように形成されており、右側には下方向に広がる幅広部７１が形成されている。この幅広部７１には、第２回転軸７２が取付固定可能に形成された軸受部としての第２軸受部７３が形成されている。
【００３３】
ベース部材３６の左端部には、第１回転軸５１が挿通可能に形成された第１回転軸用挿通孔７４が貫通形成されている。この第１回転軸用挿通孔７４は、スリーブ７５を介して第１回転軸５１に対して回転可能になるように取り付けられており、第１回転軸５１を中心とする回転運動がよりスムーズに行われるように構成されている。また、第１回転軸用挿通孔７４には、従動部材３５の裏面と接する縁部に、従動部材３５との摩擦抵抗を大きくするための摩擦部７６が形成されている。摩擦部７６は、第１回転軸用挿通孔７４を形成する挿通孔側壁部７４ａの前端部に形成されており、ベース部材３６の前側に位置する従動部材３５の裏面に対して所定の大きさの摩擦力を付与するようになっている。本実施の形態では、この摩擦部７６の形状は、摩擦部７６を構成する前端部をエッジ状に形成することにより、従動部材３５の裏面に対して摩擦力をより付与しやすくしているが、これに限定されるものではない。
【００３４】
また、ベース部材３６の側部には側壁部７７が形成されており、この側壁部７７によって囲まれて従動部材受け部７８が形成されている。側壁部７７は、この側壁部７７によって囲まれた従動部材受け部７８の底面に対して突出する突出高さが、上側と下側とで異なるように形成されている。即ち、この側壁部７７は、ベース部材３６を正面視した時に上側に位置する側壁部７７の突出高さが、同じくベース部材３６を正面視した時に下側に位置する側壁部７７の突出高さよりも高くなるように形成されている。
【００３５】
側壁部７７のうち、正面視上側に形成されている側壁部７７には、ストッパ凸部７９が従動部材受け部７８に向けて突出するように形成されている。このストッパ凸部７９は、従動部材受け部７８において第１回転軸５１を中心に回転する従動部材３５のストッパとして形成されているものである。このストッパ凸部７９の先端面と、従動部材３５の上側面３５ａとが当接することにより、従動部材３５の回転運動が停止される。なお、このストッパ凸部７９によって従動部材３５の回転運動が停止する位置は、従動部材３５の第１退避位置になる。即ち、ストッパ凸部７９は、従動部材３５の第１退避位置を規定するものであるとも言える。
【００３６】
従動部材受け部７８は、側壁部７７に囲まれて、この側壁部７７よりも一段低く形成された箇所であり、第１回転軸５１に対して回転可能に取り付けられた従動部材３５が配置されている。この従動部材受け部７８の上下方向における大きさは、従動部材３５の上下方向の幅よりも大きく形成されており、この従動部材受け部７８内において従動部材３５が第１回転軸５１を中心として所定量だけ回転運動をすることができるように形成されている。従動部材受け部７８には、第１回転軸用挿通孔７４寄りに第１ガイド孔８０が形成されており、第１ガイド孔８０よりも右側に第２ガイド孔８１が形成されている。これら第１ガイド孔８０及び第２ガイド孔８１は弧状に形成されている。第１ガイド孔８０は、従動部材３５が従動部材受け部７８内に配置された時に、従動部材３５の裏面においてこの裏面から後側に突出形成された第１案内片８２が内部に位置するように形成されており、第２ガイド孔８１は、従動部材３５が従動部材受け部７８内に配置された時に、従動部材３５の裏面においてこの裏面から後側に突出形成された第２案内片８３が内部に位置するように形成されている。即ち、従動部材受け部７８内において従動部材３５が回転運動する時は、第１ガイド孔８０内に配置されている第１案内片８２と、第２ガイド孔８１内に配置されている第２案内片８３とによって、その回転動作にガタツキ等が生じないようになっている。
【００３７】
また、ベース部材３６には、左右方向中央よりも右側に前壁部８４が形成されている。この前壁部８４は、ベース部材３６の前後方向において、従動部材受け部７８の底面よりも前側に位置するように形成されている。そして、これら前壁部８４の裏面と底面との間には、前後方向に所定距離の間隔があり、この部分に開口部８５が開口形成されている。この開口部８５は、従動部材３５を従動部材受け部７８内に配置する際に、従動部材３５の右側端部を挿入することができるように形成されている。即ち、従動部材３５は、該従動部材３５の右側端部が開口部８５内に挿入され、該従動部材３５の第１回転軸挿通孔６３に回転可能に取り付けられる。この時、従動部材３５の表面と前壁部８４の裏面とは、互いに接するように配置されており、従動部材３５が従動部材受け部７８内において回転運動を行う際には、従動部材３５が前壁部８４に対して摺動するように構成されている。したがって、従動部材３５は、従動部材受け部７８において、第１回転軸５１及び前壁部８４により前後方向の位置決めが行われ、従動部材３５の回転運動をスムーズに行うことができるように構成されている。
【００３８】
ベース部材３６において、開口部８５が形成されている箇所の一端部（本実施の形態では下側端部）には、突き当て部８６が形成されている。突き当て部８６は、従動部材３５の突出片６４が突き当てられるように、壁状に形成されている。この突き当て部８６は、従動部材受け部７８において第１回転軸５１を中心に回転する従動部材３５のストッパとして形成されている。この突き当て部８６に対して突出片６４が当接することで従動部材３５の回転運動が停止する。この突き当て部８６と突出片６４とが当接して従動部材３５の回転運動が停止した位置は従動部材３５の第１回転位置となる。即ち、突き当て部８６は、従動部材３５の第１回転位置を規定するものであるとも言える。なお、この突き当て部８６は、ベース部材３６の下側の側壁部３６ｂの突出高さよりも高くなるように突出形成されており、突出片６４が確実に突き当て部８６に対して当接させることができるように形成されている。
【００３９】
ベース部材３６の前壁部８４には、装飾体取付部８７が形成されている。装飾体取付部８７は、本実施の形態では孔状に形成された二つの孔部で形成されており、これら二つの孔部に対して、装飾体３７に形成されている二つの突出部８８を嵌合させてネジ止め固定することで、装飾体３７がベース部材３６に取付固定されるように構成されている。
【００４０】
ここで、図５に示すように、従動部材３５及びベース部材３６との間には、付勢部材としてのバネ部材８９が取り付けられている。このバネ部材８９は、従動部材３５に形成されている第１バネ取付部９０と、ベース部材３６に形成されている第２バネ取付部９１とに取り付けられており、従動部材３５が第１回転位置から第１退避位置へ回転する方向に付勢し、力を付与するように構成されている。
【００４１】
（装飾体３７の構成）
装飾体３７は、ベース部材３６の下部に形成された装飾体取付部８７に取付固定することができるように構成されている。この装飾体３７は、例えば特定のキャラクター等を取付固定してもよいし、またそれ以外の構成のものを使用してもよい。本実施の形態では、一つの例として、人物の形状をしたものを装飾体３７として使用している。
【００４２】
（可動部材３８の構成）
可動部材３８は、所定の装飾が施された装飾部９２と、第２回転軸７２を挿通可能な大きさに形成された第２回転軸挿通孔９３と、伝達部６１から付与される回転力を受ける伝達受け部９４とを有している。この可動部材３８は、該可動部材３８の重心Ｇ（図９参照）からずれた位置に第２回転軸挿通孔９３が開口形成するように形成されている。すなわち、この可動部材３８は、重心の位置が装飾部９２に位置するように形成され、伝達受け部９４及び第２回転軸挿通孔９３は、重心Ｇの位置からＬだけ離れた位置（図９参照）に形成されている。このように、第２回転軸挿通孔９３の位置を重心Ｇの位置からずらすことで、第２回転軸挿通孔９３に挿通されている第２回転軸７２の軸周りに作用するモーメントを大きくすることができる。
【００４３】
伝達受け部９４は、伝達部６１からの駆動力を受けるためのもので、本実施の形態では、中心に第２回転軸７２を挿通可能な第２回転軸挿通孔９３が貫通形成された第３ギヤ部材９５として形成されている。第３ギヤ部材９５は、第２回転軸７２が第２回転軸挿通孔９３に挿通してベース部材３６の所定位置に配置された時に、ベース部材３６の伝達部６１を構成するラック部６６と噛み合うことができるように形成されている。
【００４４】
可動部材３８は、第２回転軸７２を中心として、通常位置と、この通常位置から所定量回転した突出位置との間で回転することができるように構成されている。この通常位置と突出位置との間における回転量は、従動部材３５の回転量に対応した量となる。即ち、可動部材３８は、伝達受け部９４において従動部材３５の伝達部６１から該従動部材３５の回転力を受け、その回転力を受けることによって第２回転軸７２を中心として回転するように構成されている。そのため、可動部材３８は、従動部材３５が回転力を付与しない時（即ち、従動部材３５が第１退避位置と第１回転位置との間で回転していない時）は停止状態にあり、従動部材３５が回転力を付与している時（即ち、従動部材３５が第１退避位置と第１回転位置との間で回転している時）は、回転する状態にある。したがって、従動部材３５が第１退避位置で停止状態にある時は、可動部材３８はある位置（この位置を通常位置と言う。）で停止状態にあり、従動部材３５が第１回転位置で停止状態にある時は、可動部材３８は通常位置とは異なるある位置（以下、この位置を突出位置と言う。）で停止状態にあり、従動部材３５が第１退避位置と第１回転位置との間で回転している時は、通常位置と突出位置との間で回転している状態にある。このように、可動部材３８は、従動部材３５が第１退避位置と第１回転位置との間で回転している間のみ、通常位置と突出位置との間で回転するように動作するので、可動部材３８の回転量は、従動部材３５が第１退避位置と第１回転位置との間における回転量に対応したものになり、可動部材３８の通常位置及び突出位置は、従動部材３５によって規定される。
【００４５】
次に、本実施の形態に係る遊技機１の役物装置３１の動作を図９〜図１３に基づいて説明する。まず、遊技機が遊技者に不利な遊技状態である通常遊技状態で遊技が進行する際の態様について説明する。この場合には、役物装置は、従動部材３５が第１退避位置に位置し、ベース部材３６が第２退避位置に位置し、可動部材３８が通常位置に位置している。また、第２駆動ギヤ４４は、突出伝達部５０が従動伝達孔６５の左端部に近接する位置に位置させる。この場合、第２駆動ギヤ４４の駆動力伝達部４９は、略水平方向となるように位置している。役物装置３１がこの状態である時は、遊技盤１１全体においては、図２に示すように、可動部材３８は装飾枠１３により隠れる位置にあるため、遊技者は可動部材３８を視認することができない。
【００４６】
このように、ベース部材３６が第２退避位置に位置する時、従動部材３５は、ベース部材３６との間に設けられているバネ部材８９の付勢力によって、第１退避位置に位置することを維持している。また、従動部材３５は、突出伝達部５０が従動伝達孔６５の左端部に位置することによっても、第１退避位置に位置することを維持している。即ち、従動部材３５は、ベース部材３６が第２退避位置に位置する時は、自重による力の影響を受けて、下方向に向けて回転しようとする。このように、従動部材３５が下方向に向けて回転すると、その回転に伴って、可動部材３８も通常位置から突出位置に向けて、従動部材３５の回転量に応じた量だけ回転してしまい、遊技者が視認できるようになるおそれがある。このようなことを防止するために、バネ部材８９を従動部材３５とベース部材３６との間に設け、このバネ部材８９によって、従動部材３５がベース部材３６内において第１退避位置に位置するように維持することを可能にしている。また、バネ部材８９の他に、突出伝達部５０を従動伝達孔６５の左端部に位置させることによって、従動部材３５の回転をロックすることもでき、これによっても、より確実に従動部材３５が第１退避位置に位置するように維持することを可能にしている。
【００４７】
次に、例えば始動入賞装置１８の始動入賞口に遊技球が入賞した場合等のように、遊技の進行において所定の条件が成立した時に、役物装置３１が駆動を開始する。図１０に示すように、この場合の役物装置３１は、まず図１０においては図示しない駆動モータ３９が回転駆動を開始し、駆動モータ３９の駆動軸３９ａに取り付けられた第１駆動ギヤ４３が図１０中のＡ方向に回転を開始する。そして、この第１駆動ギヤ４３の回転に伴って該第１駆動ギヤ４３から駆動力、即ち回転力を付与され、該第１駆動ギヤ４３と噛み合うように配置されている第２駆動ギヤ４４は図１０中のＢ方向に回転を開始する。
【００４８】
第２駆動ギヤ４４は、Ｂ方向に回転運動を開始すると、この第２駆動ギヤ４４を構成する駆動力伝達部４９も併せてＢ方向に回転運動を行い、この駆動力伝達部４９の回転運動に伴って突出伝達部５０の位置がＢ方向に変化する。突出伝達部５０は、従動伝達孔６５内においてＢ方向に位置を変化させるため、通常は従動伝達孔６５内の左端部に近接する位置に位置していたものが、この左端部より離れて次第にＢ方向へ位置を変化させる。この時、突出伝達部５０は、Ｂ方向へ位置を変化させながら従動伝達孔６５の下側内側面に当接し、さらにＢ方向に位置を変化させるように運動する。そのため、従動部材３５は、従動伝達孔６５において突出伝達部５０から付与される力を受けることになる。
【００４９】
従動部材３５は、突出伝達部５０から駆動力を付与される際、この付与される力のうちの上下方向の力によって、第１回転軸を中心として、図１０中Ｃ方向へ回転を開始する。この時、第２駆動ギヤ４４は継続的にＢ方向に回転をしているため、それに伴って突出伝達部５０の位置も継続的に変化する。そして、突出伝達部５０は、従動伝達孔６５の下側内側面に力を付与しつつ、左端部から右端部に近接する位置まで変化する。
【００５０】
突出伝達部５０から駆動力を付与された従動部材３５は、伝達部６１を介して可動部材３８の第３ギヤ部材９５に対し、突出伝達部５０から付与される駆動力を回転力として伝達する。この時、可動部材３８には、その重心Ｇの位置が第２回転軸挿通孔９３の位置からずらした位置に形成されているので、可動部材３８の第２回転軸７２周りには、可動部材３８の自重によって図１０に示すＤ方向のモーメントが作用している。また、可動部材３８には、自重によって下方向にも力が作用している。ベース部材３６には、その自重によって下方向に力が作用している。この時、ベース部材３６には、装飾体３７が取り付けられているため、ベース部材３６に対して作用する力の大きさを大きくすることができる。
【００５１】
そのため、従動部材３５に駆動力が付与されると、従動部材３５から回転力を付与されるとともに、その自重によってＣ方向の力が作用しているベース部材が第１回転軸５１を軸中心としてＣ方向に回転する。この時、従動部材３５から付与される回転力を可動部材３８も受けているが、従動部材３５、ベース部材３６及び可動部材３８に作用する各種の力がバランスした状態となっているため、これらは一体的に回転する。即ち、この時は、従動部材３５が第１退避位置に位置し、可動部材３８が通常位置に位置した状態を維持しつつ、ベース部材３６が第２退避位置から、第１回転軸５１を軸中心として回転する。そして、図１０に示すように、ベース部材３６は、該ベース部材３６の下側の側壁部３６ｂがストッパ部５３の突起部５４と当接する位置において回転が規制される。この回転の規制された位置が第２回転位置である。この状態を遊技盤１１全体で見ると、図１１に示すように、装飾枠１３の右上部において、ベース部材３６に取付固定されている装飾体３７と、可動部材３８の一部が視認される状態になる。
【００５２】
ベース部材３６が第２回転位置に位置すると、ベース部材３６の回転が規制されるため、従動部材３５が付与する回転力は、可動部材３８のみに作用する。即ち、ベース部材３６が第２退避位置から第２回転位置まで回転している時は、従動部材３５が付与する回転力はベース部材３６及び可動部材３８に伝達していたが、ベース部材３６が第２回転位置に位置している時は、ベース部材３６の回転が規制されるために、従動部材３５から付与される回転力は可動部材３８にのみ伝達される。したがって、従動部材３５は、第１退避位置から第１回転位置まで第１回転軸５１を軸中心として回転し、この従動部材３５の回転に伴って、ラック部６６と、このラック部６６と噛み合っている可動部材３８の第３ギヤ部材９５が第２回転軸７２を軸中心として回転し、そして可動部材３８が通常位置から突出位置へ回転する。
【００５３】
従動部材３５は、第１退避位置から第１回転位置に向けて回転運動を行い、これに伴って可動部材３８も第２回転軸を軸中心として回転運動を行う。そして、図１１に示すように、従動部材３５は、突出片６４がベース部材３６の突き当て部８６と当接する位置において回転が規制され、またこの回転の規制に伴って、可動部材３８の回転運動も停止する。このように、従動部材３５の回転の規制された位置が第１回転位置であり、第１回転位置において従動部材３５の回転が規制されることに伴って可動部材３８の回転運動が停止した位置が突出位置である。この状態を遊技盤１１全体で見ると、図１３に示すように、ベース部材３６に取付固定されている装飾体３７を明確に視認することができ、また突出位置に位置する可動部材も明確に視認することができるようになる。遊技者は、この役物装置３１における装飾体３７と可動部材３８の状態を見て、遊技において所定の条件が成立したことを知ることができるとともに、遊技の興趣も向上する。
【００５４】
図１３に示す状態の時は、従動部材３５が第１回転位置に位置し、ベース部材３６が第２回転位置に位置し、可動部材３８が突出位置に位置している。そして、所定時間経過する等によって、先に説明したとは別の所定の条件が成立すると、駆動モータは、Ａ方向とは逆方向のＦ方向に回転駆動を開始する。これにより、第１駆動ギヤ及び第２駆動ギヤを介して、従動部材３５にはＨ方向の回転力が付与される。この時、突出伝達部５０から駆動力を付与された従動部材３５は、伝達部６１を介して可動部材３８の第３ギヤ９５に対して回転力を伝達する。この時、可動部材３８の第２回転軸７２周りには、可動部材の自重によって、Ｄ方向（図１０参照）のモーメントが作用している他に、自重により下方向の力が作用している。また、ベース部材３６には、該ベース部材３６の自重と、ベース部材３６に取付固定されている装飾体３７の自重により下方向の力が作用している。
【００５５】
そのため、従動部材３５に駆動力が付与されてＨ方向に回転をしようとすると、従動部材３５、ベース部材３６、装飾体３７及び可動部材３８において作用する各種の力がバランスした状態となり、これらが一体的に回転する。即ち、この時は、従動部材３５が第１
回転位置に位置し、可動部材３８が突出位置に位置した状態を維持しつつ、ベース部材３６が第２回転位置から第２退避位置に向けて、第１回転軸５１を軸中心として回転する。そして、図９に示すように、ベース部材３６は、該ベース部材３６の上側の側壁部３６ａがケース本体３３の上側壁部３３ｅに形成された突出リブ５２と当接し、この位置において回転が規制される。即ち、第２退避位置においてベース部材３６の回転運動が規制され、停止する。なお、ベース部材３６が第２退避位置に到達したか否かは、センサ部材５６によって検出される。即ち、ベース部材３６が第２退避位置に到達すると、ベース部材３６に形成されている検知片Ｓの存在がセンサ部材５６によって検知される。このセンサ部材５６は、ベース部材３６が第２退避位置に位置することを検知するものであるから、センサ片Ｓを検知したことによって、ベース部材３６が第２退避位置に位置することを検知したことになる。
【００５６】
ベース部材３６が第２退避位置に位置すると、ベース部材３６の回転が規制されるため、従動部材３５が付与する回転力は、可動部材３８にのみ作用する。即ち、ベース部材３６が第２回転位置から第２退避位置まで回転している時は、従動部材３５が付与する回転力はベース部材３６及び可動部材３８に伝達していたが、ベース部材３６が第２退避位置に位置している時は、ベース部材３６の回転が規制されるために、従動部材３５から付与される回転力は可動部材３８にのみ伝達される。したがって、従動部材３５は、第１回転位置から第１退避位置まで第１回転軸５１を軸中心として回転し、この従動部材３５の回転に伴って、ラック部６６と、このラック部６６と噛み合っている可動部材３８の第３ギヤ部材９５が第２回転軸７２を軸中心として回転し、そして可動部材３８が突出位置から通常位置へ回転する。
【００５７】
従動部材３５は、上側面３５ａがストッパ凸部７９に当接すると回転が規制される。即ち、第１退避位置において従動部材３５の回転が規制されることになる。そして、この従動部材３５の回転運動の停止した時に、可動部材３８は通常位置に到達して、やはり第２回転軸を中心とする回転運動を停止する。このように、従動部材３５が第１回転位置から第１退避位置まで回転運動を行う際、本実施の形態における役物装置３１は、従動部材３５とベース部材３６との間にバネ部材８９が設けられており、このバネ部材８９は、従動部材３５が図１２におけるＨ方向へ回転する方向に付勢している。そのため、図１２中のＨ方向へ従動部材３５が回転運動を行う際に、よりスムーズに従動部材３５をＨ方向に回転運動させることができる。また、このようにバネ部材８９で付勢することにより、従動部材３５を確実に第１回転位置から第１退避位置まで回転させることができるので、役物装置３１を用いた演出を行った後に従動部材３５が第１回転位置に残ったままの状態になるような不具合を確実に解消することができる。
【００５８】
このように、本発明に係る遊技機によれば、役物装置を構成する際に、一つの駆動モータを用いて従動部材、ベース部材、装飾体及び可動部材の全てを回転駆動させることができる。また、本発明に係る遊技機では、駆動モータを一つにした上、他の構成部品の点数も少なくすることが可能になる。したがって、役物装置を構成する部品の点数を大幅に減少させることができ、役物装置の製造コスト、ひいては遊技機の製造コストを大幅に減少させることが可能になる。また、本発明に係る遊技機によれば、バネ部材を従動部材とベース部材との間に設けることによって、従動部材、ベース部材及び可動部材の動作を確実に行うようにすることができる。さらに、本発明に係る遊技機では、ベース部材に摩擦部を形成し、この摩擦部を従動部材の裏面に当接させるように構成するので、ベース部材と従動部材とを一体的に回転運動させる際に、これらベース部材及び従動部材の間において摩擦力を生じさせることができる。したがって、より確実に、これらベース部材及び従動部材を一体的に回転運動させることが可能になる。
【００５９】
また本発明に係る遊技機によれば、役物装置においてベース部材に装飾体を取付固定し、さらに可動部材にも装飾部を設けることができるので、第１回転軸を中心として回転運動を行う装飾体による演出と、第１回転軸とは別の第２回転軸を中心として回転運動を行う可動部材の装飾部による演出とを組み合わせて、複雑な演出を行うことも可能になる。したがって、本発明に係る遊技機によれば、役物装置における演出態様のバリエーションを多くすることができ、遊技者の興趣を向上させるような演出をより多くの演出態様によって行うことも可能になる。
【００６０】
以上、本発明に係る遊技機について詳細に説明したが、本明細書に記載した遊技機の構成及び作用効果は、本発明に係る遊技機に関する一つの例を示したにすぎず、これに限定されるものではない。例えば、本明細書における遊技機では、役物装置の動作において、従動部材が第１回転位置に位置し、ベース部材が第２回転位置に位置し、可動部材が突出位置に位置している状態から、ベース部材を第２退避位置まで回転させた後、従動部材を第１退避位置まで回転させると共に可動部材を通常位置まで回転させるように構成しているが、これに限定されるものではなく、他の動作を行うように構成してもよい。また、本実施の形態では、従動部材が第１回転位置に位置し、ベース部材が第２回転位置に位置し、可動部材が突出位置に位置している状態から、ベース部材を第２退避位置へ回転させるように構成しており、この状態から回転させる時に従動部材、ベース部材、装飾体及び可動部材を一体的に回転させるようにしているが、可動部材の取り付け位置によって、該可動部材の突出位置における力のバランスが保たれておらず、可動部材が突出位置から通常位置まで回転する途中で力のバランスが均一になるように構成してもよい。この場合には、ベース部材は第２回転位置に位置した状態を維持しつつ、従動部材が第１回転位置からある位置まで回転し、その回転に伴って可動部材が突出位置からある位置まで回転するようになり、そして力のバランスが均一になった位置から、従動部材、ベース部材、装飾体及び可動部材が一体的に回転をするように動作する。なお、この動作も例示であって、これ以外の動作を行うように構成してもよい。また、本実施の形態では、横置きに構成された役物装置の例を用いて説明したが、これに限定されるものではない。例えば、縦置きに構成された役物装置であってもよいし、これ以外の構成を有する役物装置であってもよい。
【００６１】
また、本発明に係る遊技機においては、本発明の趣旨を逸脱しない範囲において、適宜その構成を変更してもよい。
【符号の説明】
【００６２】
１  遊技機
１１  遊技盤
１２  センター役物
１６  遊技領域
３１  役物装置
３２  前カバー部材
３３  ケース本体
３４  収容空間
３５  従動部材
３６  ベース部材
３７  装飾体
３８  可動部材
３９  駆動モータ
５１  第１回転軸
６１  伝達部
６５  従動伝達孔
６６  ラック部
７２  第２回転軸
７６  摩擦部
７８  従動部材受け部
８９  バネ部材
９４  伝達受け部
９５  第３ギヤ部材
【図１】
2014217596.tif 000003
【図２】
2014217596.tif 000004
【図３】
2014217596.tif 000005
【図４】
2014217596.tif 000006
【図５】
2014217596.tif 000007
【図６】
2014217596.tif 000008
【図７】
2014217596.tif 000009
【図８】
2014217596.tif 000010
【図９】
2014217596.tif 000011
【図１０】
2014217596.tif 000012
【図１１】
2014217596.tif 000013
【図１２】
2014217596.tif 000014
【図１３】
2014217596.tif 000015